(57)【要約】本明細書は有孔性のまたは無孔性の積層材料を生成する装置および方法を開示し、前記装置は、相互に概ね平行である外向きコンベア走行部(22、23、56、57)を有する少なくとも２本のコンベア(21、21、54、44)の形態のラミネート離脱手段(19)を有する支持フレーム(13、50)と、前記ラミネート離脱手段(19)の回りを進行して該ラミネート離脱手段(19)の回りに一枚以上のウェブを供与して該手段上に管状形態の前記積層材料を形成するキャリッジ手段(30、61、62)とを含み、且つ、一実施例においては、管状に形成された前記積層材料を切断して単一層の積層材料が形成される。
2005522354.tif 000002
【特許請求の範囲】
【請求項１】
ウェブ材料から有孔性のまたは無孔性の積層材料を作成する装置であって、
当該フレーム手段に結合された積層材料離脱機構を有するフレーム手段と、
前記離脱機構がフレーム手段から前記積層材料を漸進的に取り外しているときに、前記積層材料を形成するために、前記フレーム手段の前記積層材料離脱機構の回りに少なくとも一枚のウェブ材料を巻き付けるためのウェブ材料巻付け手段と、を含む、積層材料を作成する装置。
【請求項２】
少なくとも一枚の前記ウェブ材料が、プラスチックフィルムウェブである、請求項１に記載の装置。
【請求項３】
前記ウェブ材料巻付け手段が、前記少なくとも一枚のウェブ材料を前記積層材料離脱機構の回りに巻き付けながら該積層材料離脱機構の回りを移動する、請求項１または２に記載の装置。
【請求項４】
前記少なくとも一枚のプラスチックフィルムウェブを前記フレーム手段の回りに巻き付ける間、前記ウェブ材料巻付け手段が静止位置に留まり且つ前記フレーム手段の少なくとも前記積層材料離脱手段が回転する、請求項１または２に記載の装置。
【請求項５】
前記離脱機構が、前記積層材料をフレーム手段から水平方向に取り外すように配設される、請求項１から４のいずれか一項に記載の装置。
【請求項６】
前記離脱機構が、前記積層材料をフレーム手段から直立方向に取り外すように配設される、請求項１から４のいずれか一項に記載の装置。
【請求項７】
前記積層材料が、前記フレーム手段から下方向または上方向のいずれかに取り外される、請求項６に記載の装置。
【請求項８】
当該装置が、一つの位置に固定される、請求項１から７のいずれか一項に記載の装置。
【請求項９】
当該装置が、移動手段と、該移動手段を駆動する駆動手段とを含むことにより、前記積層材料を形成する間に該装置が所望の方向に移動され得る、請求項１から７のいずれか一項に記載の装置。
【請求項１０】
生成された前記積層材料が、プラスチック材料フィルムの形態の少なくとも一枚の前記ウェブ材料を利用した連続的で無孔性の材料である、請求項１から９のいずれか一項に記載の装置。
【請求項１１】
前記積層材料離脱機構により前記積層材料に対して与えられる移動方向と平行な方向で少なくとも一枚の前記ウェブ材料を供与するウェブ供与手段を更に含む、請求項１から９のいずれか一項に記載の装置。
【請求項１２】
前記積層材料が、ウェブ材料間に複数の開口を備えたネットもしくはメッシュ材料として形成される、請求項１１に記載の装置。
【請求項１３】
前記ウェブ材料巻付け手段が、少なくとも二枚の前記ウェブ材料を同時に供与する供与手段を含む、請求項１から１２のいずれか一項に記載の装置。
【請求項１４】
一枚又は各々の前記ウェブ材料を前記巻付け手段により巻き付ける速度が、前記離脱機構による前記積層材料の取り外しの速度に関連付けられることにより、前記巻付け手段により供給された一枚又は各々の前記ウェブ材料が、該材料における重複関係で螺旋状に巻回される、請求項１から１３のいずれか一項に記載の装置。
【請求項１５】
最初に言及されたウェブ材料巻付け手段により巻き付けられた前記ウェブ材料に対して交差的にウェブ材料を巻き付けるように配置された第二ウェブ巻付け手段を更に含む、請求項１４に記載の装置。
【請求項１６】
積層材料離脱機構が、同一の方向および速度にて進行する外側コンベア走行部を有する少なくとも２本の離間されたエンドレスコンベアを含み、該エンドレスコンベアの回りに、前記プラスチックフィルム巻付け手段が、前記積層材料を形成するために、前記少なくとも一枚のプラスチックフィルムウェブを巻き付ける、請求項１または１５に記載の装置。
【請求項１７】
前記ウェブ材料巻付け手段により付与されたフィルムウェブ材料の少なくとも外側層を、先行して付与されたウェブ材料層に対して押し付ける押圧手段を更に含む、請求項１６に記載の装置。
【請求項１８】
外側コンベア走行部に平行な縦方向で少なくとも一枚のウェブ材料を供与すべくウェブ材料供給手段が配備される、請求項１６または１７に記載の装置。
【請求項１９】
ウェブ材料供給手段が、複数の別個の長寸材の前記ウェブ材料を前記縦方向に供与すべく構成され、前記長寸材の前記ウェブ材料の少なくとも幾本かが、横方向で互に離間される、請求項１８に記載の装置。
【請求項２０】
ウェブ材料供給手段が、複数の別個の長寸材の前記ウェブ材料を重複関係で供与すべく構成される、請求項１８に記載の装置。
【請求項２１】
ウェブ材料巻付け手段が、前記外側コンベア走行部の回りに少なくとも一枚の前記ウェブ材料を巻き付けて、縦方向において互いに離間された螺旋状回旋であって前記ウェブ材料供給手段から供与された前記ウェブ材と横方向に交差する螺旋状回旋を形成する、請求項１９に記載の装置。
【請求項２２】
縦方向に供与された少なくとも一枚の前記ウェブ材料が、前記重なり合う螺旋状回旋の形で巻き付けられた前記少なくとも二枚の別個の長寸材の前記ウェブ材料の間に配設される状態で、少なくとも二枚の別個の長寸材の前記ウェブ材料が、重なり合う前記螺旋状回旋の形で巻き付けられる、請求項２１に記載の装置。
【請求項２３】
前記ウェブ供給手段が、重なり合う関係にある少なくとも二枚の別個の長寸材の前記ウェブ材料を供給し、そのことにより前記ウェブ材料の前記螺旋状回旋が、少なくとも二枚の長寸材の前記重なり合って縦方向に延在するウェブ材料の間に配置される、請求項２１に記載の装置。
【請求項２４】
ウェブ材料巻付け手段が、前記外側コンベア走行部の回りに第一の前記プラスチックフィルムウェブを供給する第一供給手段と、少なくとも一枚の更なる前記プラスチックフィルムウェブを供給する少なくともひとつの更なる供給手段とを含み、
前記第一供給手段が、一枚又は少なくとも一枚の前記更なるプラスチックフィルムウェブの張力レベルとは異なる張力レベルにて前記第一プラスチックフィルムウェブを巻き付ける、請求項１６もしくは１７に記載の装置。
【請求項２５】
前記積層材料に沿って少なくとも縦方向に離間された位置において積層材料の全ての層を加熱シールするための加熱シール手段が配備される、請求項１６から２４のいずれか一項に記載の装置。
【請求項２６】
加熱シール手段が、縦方向に延在する少なくとも一本のシール線に沿って積層材料の前記全ての層を加熱シールする、請求項２５に記載の装置。
【請求項２７】
前記少なくとも二個の離間されたコンベアの外側コンベア走行部間の距離を横方向で調節する調節手段を更に含む、請求項１６から２５のいずれか一項に記載の装置。
【請求項２８】
前記加熱シール手段が、横方向に離間された複数本の前記縦方向延在シール線を形成するようにされた、請求項２６に記載の装置。
【請求項２９】
前記積層材料を加熱シール領域に沿って縦方向に切断するための切断手段を更に含む、請求項２５、２６または２８のいずれか一項に記載の装置であって、該切断手段によってその様に切断された積層材料の各縦方向縁部領域が加熱シールされる、装置。
【請求項３０】
前記材料を縦方向に切断する切断手段を更に含む、請求項１から２８のいずれか一項に記載の装置。
【請求項３１】
少なくとも一枚の前記ウェブ材料をフレーム手段に巻き付けるに先立ち該ウェブ材料に対して接着剤を塗付するための接着剤塗付手段を更に含む、請求項１から３０のいずれか一項に記載の装置。
【請求項３２】
前記ウェブ材料を前記接着剤上に巻き付けるに先立ち、前記積層材料離脱手段上に付与された前記ウェブ材料に接着剤を塗布するための接着剤塗付手段を更に含む、請求項１から３０のいずれか一項に記載の装置。
【請求項３３】
フレーム手段の回りに少なくとも一枚のウェブ材料を巻き付ける段階を含む、ウェブ材料から積層材料を作成する方法であって、
フレーム手段の回りに少なくとも一枚のウェブ材料を巻き付ける段階が、先行して付与された前記ウェブ材料上にウェブ材料を重ね置き、同時に前記フレーム手段上の当該積層材料を該フレーム手段から放出領域に向けて移動させることによって前記積層材料を形成するための段階を含む方法。？？？
【請求項３４】
前記フレーム手段が少なくとも二個のコンベアを含み、
前記ウェブ材料が前記各コンベア上に巻き付けられて、それにより前記フレーム手段から搬送される、請求項３３に記載の方法。
【請求項３５】
少なくとも二枚の前記プラスチックフィルムウェブが、前記フレーム手段の回りに同時に巻き付けられるウェブ材料を構成する、請求項３３または３４に記載の方法。
【請求項３６】
前記少なくとも二枚のプラスチックフィルムウェブが自己接着性であり、そのためそれらが、先行して巻き付けられた層に接着される、請求項３５に記載の方法。
【請求項３７】
補強用ウェブ材料が、積層材料を作成すべく使用される前記ウェブ材料の少なくとも一枚を構成する、請求項３３から３６のいずれか一項に記載の方法。
【請求項３８】
補強用ウェブ材料がメッシュ構成のものである、請求項３７に記載の方法。
【請求項３９】
少なくとも一枚の前記ウェブ材料が、当該低密度ポリエチレンの長さを増大して厚みを減少すべくその降伏点を超えて事前延伸された低密度ポリエチレンである、請求項３３から３８のいずれか一項に記載の方法。
【請求項４０】
接着剤が、前記フレーム手段上に巻き付けられた前記ウェブ材料の層間に塗布される、請求項３３から３９のいずれか一項に記載の方法。
【請求項４１】
前記積層材料の層が、少なくとも縦方向に離間された箇所において、少なくとも一本の縦方向延在シール線に沿って一体的に加熱シールされる、請求項３３から３９のいずれか一項に記載の方法。
【請求項４２】
複数の前記シール線が前記積層材料の回りで周縁に沿って離間されて形成される、請求項４１に記載の方法。
【請求項４３】
少なくとも一本の縦方向延在切断線に沿って積層材料を切断するために切断手段が配備されて、該切断手段によって単一層の前記積層材料を形成する、請求項３３から４２のいずれか一項に記載の方法。
【請求項４４】
前記材料の各切断縁部領域の層が、一体的に加熱シールされる、請求項４３に記載の方法。
【請求項４５】
少なくとも一枚のプラスチックフィルムウェブの螺旋状巻回層であって各層が相互に接着された螺旋状巻回層により形成された管状ライナ材料を作成する段階と、
前記ライナ材料を運河に沿って布置する段階とを含む、
運河などにライナ付けする方法。
【請求項４６】
前記管状ライナ材料が前記運河内に二重の厚みとして設置される、請求項４５に記載の方法。
【請求項４７】
前記運河における水流が管状ライナ材料内を流れるように配置され、そのことにより前記ライナ材料の一部が前記水流の上側に位置する、請求項４６に記載の方法。
【請求項４８】
前記管状ライナ材料が縦方向延在線に沿って切断され、そのことにより前記ライナ材料が前記運河内に単一の厚みとして設置される、請求項４５に記載の方法。
【請求項４９】
前記管状ライナ材料が現場で形成されて前記運河内に直接的に布置される、請求項４５から４８のいずれか一項に記載の方法。
【請求項５０】
少なくとも一枚のプラスチックフィルムウェブの螺旋状巻回層であって各層が相互に接着された螺旋状巻回層により形成された管状ライナ材料を作成する段階と、
前記ライナ材料を保水手段内に布置する段階とを含む、
地表に形成された保水手段にライナ付けする方法。
【請求項５１】
前記管状ライナ材料が、前記保水手段内に布置されるに先立って、単一シートを形成すべく切断される、請求項５０に記載の方法。
【請求項５２】
複数枚のウェブから形成されたネットもしくはメッシュ材料であって、
前記複数枚のウェブが、縦方向に配設され且つ横方向に離間されており、また少なくとも一枚の螺旋状巻回ウェブにより相互接続された複数枚のウェブであり、また前記少なくとも一枚の螺旋状巻回ウェブが、縦方向に配設された前記ウェブを横切る方向に配設され、且つ縦方向に離間された回旋へと形成された少なくとも一枚の螺旋状巻回ウェブであるところの、ネットもしくはメッシュ材料。
【請求項５３】
管状形態の前記ネットもしくはメッシュ材料が、該ネットもしくはメッシュ材料の少なくとも一枚の平坦シートを形成するために縦方向に切断される、請求項５２に記載のネットもしくはメッシュ材料。
【請求項５４】
少なくとも一枚のプラスチックフィルムウェブの相互に接着された層の重複層の形で螺旋状に巻回されたライナ材料により形成される、堰、池もしくは運河用のライナ。
【請求項５５】
管状形態の前記ライナが縦方向に切断されて少なくとも一枚の平坦シートを形成する、請求項５４に記載の堰、池もしくは運河用のライナ。
【請求項５６】
前記螺旋状に巻回された重複層と交差する縦方向に延在する一枚以上のウェブを更に含む、請求項５４または５５に記載の堰、池もしくは運河用のライナ。
【請求項５７】
縦方向に延在する複数の前記ウェブが相互に離間されて配備される、請求項５６に記載の堰、池もしくは運河用のライナ。
【請求項５８】
縦方向に延在する複数の前記ウェブが配備されて相互に重なり合う、請求項５６に記載の堰、池もしくは運河用のライナ。
【請求項５９】
互いに接着された層の重複層の形で巻回された少なくとも一枚のプラスチック材料ウェブから形成された積層フィルム材料であって、この様に形成された管状構造が縦方向に切断されて少なくとも一枚の平坦シートを形成する、積層フィルム材料。
【請求項６０】
少なくとも一枚の縦方向延在プラスチック材料ウェブを更に含む、請求項５９に記載の積層フィルム材料であって、
一つの又は各々の前記螺旋状巻回層が、一枚の又は各々の前記縦方向延在プラスチック材料ウェブを横切る方向に配設されるように、前記少なくとも一枚の縦方向延在プラスチック材料ウェブが位置決めされた、積層フィルム材料。
【請求項６１】
第一方向に延在する少なくとも一枚の第一フィルムウェブと、
前記少なくとも一枚の第一フィルムウェブと横方向に交差する複数の回旋で螺旋状に巻回された少なくとも一枚の第二フィルムウェブと、により形成された積層材料であって、
前記フィルムウェブの各々が、当該積層材料を形成するために、前記フィルムウェブの内の他方のフィルムウェブに対して少なくとも部分的に接着される、積層材料。
【請求項６２】
複数枚の前記第一フィルムウェブが配備される、請求項６１に記載の積層材料。
【請求項６３】
複数枚の前記第二フィルムウェブが配備される、請求項６２に記載の積層材料。
【請求項６４】
前記第一および第二フィルムウェブが相互に接着するプラスチック材料から成る、請求項６１から６３のいずれか一項に記載の積層材料。
【請求項６５】
管状形態の前記積層フィルムが縦方向に切断されて少なくとも一枚の平坦シートを形成する、請求項６１から６４のいずれか一項に記載の積層材料。
【請求項６６】
管状構造を形成するために、互いに接着された層の重複螺旋層の形で巻回された少なくとも一枚のプラスチック材料ウェブから形成された積層フィルム材料であって、この様に形成された管状構造が縦方向に切断されて少なくとも一枚の平坦シートを形成する、積層フィルム材料。
【請求項６７】
錘として働く流動可能物質を受容するようにされた少なくとも一つの内部ポケットを更に含む、請求項６６に記載の積層材料。
【請求項６８】
互いに接着された層の重複螺旋層の形で巻回された少なくとも一枚のプラスチック材料ウェブから形成された積層フィルム材料から形成されたカバー装置であって、
当該カバー装置が、錘として働く流動可能物質を受容するようにされた少なくとも一つの内部ポケットを更に含む、カバー装置。
【発明の詳細な説明】
【技術分野】
【０００１】
本発明は、池、堰、運河、用水路などの様に地表に形成された保水機構もしくは配水システムに対するライナなどの種々の用途のために、プラスチックフィルムウェブから成りもしくはそれを含む材料から撓曲可能なシート材または管体を作成する装置および方法に関する。本発明はまた、ネットもしくはメッシュ材料、ならびに、建築業界で使用される埋立用ライナ、埋立用蓋、大きなシート材、または、防水布もしくは干し草用カバー、サイロ貯蔵牧草用カバーもしくは穀物用カバーなどのカバー、撓曲可能な配管もしくは管体、および、水分含有製品に対する貯蔵用管材の製造などの他の多くの用途も有する。これらの用途は本質的に例示的なものであり、他の用途が等しく存在し得る。用途に応じて、前記シート材は水分不浸透性とされてもされなくても良い。
【背景技術】
【０００２】
以下の説明は主として地表に形成された保水もしくは配水システムに対するライナとしての企図用途に関して与えられるが、本発明に対する他の多くの可能的用途が存在することに留意すべきである。その様に地表に形成された保水もしくは配水システムからは、底部領域を通る浸出により、または、特に高温気候における水面からの蒸発により、相当量の水が喪失されることは一般によく知られている。この問題に対するこれまでの解決策は、コンクリート、もしくは、場合によりゴムなどの撓曲可能材料から形成された耐水底部ライナを配備し、または、運河および用水路の場合には、任意の利用可能な形態のパイプを用いて水流を地下に流すことであった。また、大きなプラスチックパネルを現場で溶接もしくは接着することでライナとして使用すべく、比較的に大きなプラスチック材料シートを作成することも公知である。斯かる現場での溶接もしくは接着は、実施することが不便で面倒であるなどの一定の不都合を有する。斯かる配置構成の全ては、比較的に不経済であることが分かり、限られた範囲でのみ実施されてきた。実際、その様に地表に形成された保水機構／配水システムからの一定量の水分喪失は不可避なので容認されるべきことが少なからず受け入れられてきた。しかしこの考えは、特に水のコストが増大し且つ地中への水分浸出により引き起こされる環境被害が次第に認識されてきたことから、次第に受け入れられなくなりつつある。
【発明の開示】
【発明が解決しようとする課題】
【０００３】
故に本発明の目的は、溶接もしくは接着による別体部分の接合を最小限としまたは斯かる接合なしで種々の用途に対するフィルムウェブ、シート材、管体もしくはネット状材料をプラスチック材料で作成すべく改良されて比較的に安価な方法を提供するに在る。好適には但し排他的ではなく、該方法は、埋立現場、保水用途および配水用途に対するライナの生成を目的とし得る。本発明はまた、本発明の前記方法を実施する装置、ならびに、本発明の前記方法および装置により生成される材料に対する種々の製品用途を提供することも目的とする。
【課題を解決するための手段】
【０００４】
本発明の第一の様態に依れば、ウェブ材料から有孔性のまたは無孔性の積層材料を作成する装置であって、当該フレーム手段に結合された積層材料離脱機構を有するフレーム手段と、前記離脱機構が前記フレーム手段から前記積層材料を漸進的に取り外すときに前記積層材料を形成するために前記フレーム手段の前記積層材料離脱機構の回りに少なくとも一枚のウェブ材料を巻き付けるためのウェブ材料巻付け手段とを含む装置が提供される。前記の“ウェブ材料”という語句は、長寸シート、線状体または他の細線状材料を含むことが意図され、好適にはプラスチックフィルム材料を包含する。このように記述された前記装置によれば、簡素で安価な方法により、連続的形態であれネットもしくはメッシュ状形態であれ管材もしくはシート材料が理論的に任意の所望の長さで生成され得る。更に、生成される前記材料の幅もまた、理論的には任意の所望の幅へと増大され得る。必要に応じて、生成された管状材料が単一厚シートとして使用されることができるように、生成された管状材料は縦方向に切断されることがある。それはまた二重の厚みとしても使用可能であり、または代替的に、それは管状形態で使用され得る。ライナとして使用される場合に、水は、前記管状構造を通してまたは代替的に前記ライナ上を流れることが許容される。更に、もし現場で管体もしくはシート材が生成されるなら、ライナをその最終所望位置に保持するために水が使用されることがある。
【０００５】
本発明のこの様態の好適な特徴は添付の請求項２から３２に規定されるが、これにより、その主題は本明細書の開示の一部とされる。
【０００６】
本発明の更なる様態に依れば、ウェブ材料から積層材料を作成する方法が提供され、該方法が、フレーム手段の回りに少なくとも一枚のウェブ材料を巻き付ける段階を含んで、先行して付与された前記ウェブ材料上にウェブ材料を重ねることによって前記積層材料を形成し、同時に前記フレーム手段上の当該積層材料をフレーム手段から放出領域に向けて移動させる。
【０００７】
本発明のこの様態の好適な特徴は添付の請求項３４から４４に規定されるが、これにより、その主題は本明細書の開示の一部とされる。
【０００８】
本発明の更なる様態に依れば、少なくとも一枚のプラスチックフィルムウェブの螺旋状巻回層であって各層が相互に接着された螺旋状巻回層により形成された管状ライナ材料を作成する段階と、前記ライナ材料を運河に沿って布置する段階とを含む、運河などにライナ付けする方法が提供される。前記および以下において運河という語句は、用水路の様に、水を搬送することが意図されて地表に形成された水路、溝、又はそうでなければ有孔性の水路、溝などを包含することが意図される。
【０００９】
本発明のこの様態の好適な特徴は添付の請求項４６から４９に規定されるが、これにより、その主題は本明細書の開示の一部とされる。
【００１０】
本発明の更なる様態に依れば、少なくとも一枚のプラスチックフィルムウェブの螺旋状巻回層であって各層が相互に接着された螺旋状巻回層により形成された管状ライナ材料を作成する段階と、前記ライナ材料を前記保水手段内に布置する段階とを含む、地表に形成された保水手段にライナ付けする方法が提供される。好適には、管状ライニング材料は前記保水手段内に布置されるに先立ち単一シートを形成すべく切断される。
【００１１】
本発明の別の様態において、縦方向に配設され且つ横方向に離間された複数枚のウェブであって、該縦方向に配設されたウェブを横切る方向に配設された縦方向に離間された回旋として形成された少なくとも一枚の螺旋状巻回ウェブにより相互接続された複数枚のウェブからは、ネットもしくはメッシュ材料が形成される。好適には、当該ネットもしくはメッシュ材料の少なくとも一枚の平坦シートを形成するために、管状形態の当該ネットもしくはメッシュ材料が縦方向に切断される。
【００１２】
更に別の様態においては、少なくとも一枚のプラスチックフィルムウェブの相互に接着された層の重複層の形で螺旋状に巻き付けられたライナ材料により形成される、堰、池もしくは運河用のライナが提供される。好適には、この様態の更なる好適な特徴は添付の請求項５５から５８に規定されるが、これにより、該請求項は本明細書の開示の一部とされる。
【００１３】
本発明の更なる様態によれば、第一方向に延在する少なくとも一枚の第一フィルムウェブと、前記少なくとも一枚の第一フィルムウェブと横方向に交差する、複数回の回旋で螺旋状に巻回された少なくとも一枚の第二フィルムウェブと、により形成された積層材料が提供される。前記フィルムウェブの各々は前記フィルムウェブの内の他方のフィルムウェブに対して少なくとも部分的に接着されて当該積層材料を形成する。この様態の好適な特徴は添付の請求項６２から６５に規定されるが、これにより、該請求項は本明細書の開示の一部とされる。
【００１４】
更なる様態において本発明は、管状構造を形成するために、重複螺旋層で巻回された少なくとも一枚のプラスチック材料ウェブから形成された積層フィルム材料を提供し、前記重複螺旋層は相互に接着されて、この様に形成された管状構造は縦方向に切断されることで少なくとも一枚の平坦シートを形成する。斯かる積層材料は、建築現場用途、貯水箇所もしくはサイロ貯蔵牧草用の立坑に対するカバーとしての機能を含め多くの用途を有し得る。カバーとして機能させる場合に前記材料は、錘として作用するたとえば水などの流動可能物質を受容し得る少なくとも一つの内部ポケットを含む。代替的な好適配置構成において、前記積層材料の最初に形成される管状構造は横方向に切断されると共に、横方向の開放端部は、内部閉塞キャビティを画成するために横方向にシールされる。閉鎖キャップを備えた吐水口などの様な、(たとえば水などの)流動可能物質を導入もしくは排出する手段が配備され、前記内部キャビティは、前記流動可能物質により少なくとも部分的に充填されて錘として働く。前記カバー装置に対する加重領域として作用し得る種々のスペース形態を提供すべく、内部キャビティに対して任意の所望の分割が為される。斯かるカバー装置に対する可能的な用途は、水泳プール用カバー、および、サイロ貯蔵牧草用の立坑などに対するカバーを含む。
【００１５】
本発明の更なる好適な様態は、添付図面に関して与えられる以下の説明から明らかとなろう。
【発明を実施するための最良の形態】
【００１６】
添付図面の図１は、ライナ11を現場で生成して運河12などへと載置する装置10を概略的に示している。本発明の原理の他の多くの応用が等しく可能であることを理解すべきである。たとえば前記装置は、現場で使用されなくてもよく、しかし工場側で使用されて、ライナとしてまたは本明細書に記述される他の応用例としてのその後の使用のために積層材料を生成して保存することが可能である。
【００１７】
図１を参照すると、例示された装置10はライナ11が載置される運河12を跨ぐ様に配置される。装置10は、運河12の両側に配置された移動手段14により支持された支持フレーム構造13を含む。移動手段14は、図示された如き無限軌道キャタピラシステム、車輪、または、他の任意の適切な手段である。移動手段14は、装置10が矢印15の方向において運河12に沿って移動するように駆動される。支持フレーム構造13の上側アーム16から、下端部に障害物の無いライナ形成装置17が吊り下げられるので、その下端部からは、ライナ11が管状形態で又は単一シートを形成すべく縦方向に切断されて放出されることが可能である。ライナ形成装置17は、当該フレーム手段18の各外側から下方に延在するライナ離脱手段19を備えたフレーム手段18を含む。図示実施例において離脱手段は、矢印24の方向で下方に運動する外側走行部22、23を有する一対のエンドレスコンベア20、21を含む。ひとつの実用的実施例においてコンベア20、21は、コンベアの表面を形成すべく横方向に配設された複数のプレートを各々が担持するエンドレスチェーンにより形成され得る。他の構成も可能であることは当然に理解されるであろう。コンベア20、21の各々は、クロスバー31から取付けられた(不図示の)中央駆動モータであって、コンベア20、21まで延在することでコンベア20、21が同一速度で駆動される様に協働する(これらもまた不図示の)チェーンドライブを備えたモータから好都合に駆動され得る。
【００１８】
フレーム手段18は、離間されて下方に吊り下げられた一対の支持バー25、26であって両者間に延在する横断壁構造27を備えた支持バー25、26を含む。壁構造27は、平坦な外向き表面、または、図示された如く凸状湾曲表面28、29のいずれかを呈する。図示された如き連続的な壁構造27は必須でなく、たとえばそれは、以下に記述される如くライナを生成すべく布置されているフィルムウェブに対する支持を提供するためのローラ手段に置換され得ることが理解されるに違いない。ローラ手段は、コンベア20、21に対する支持バー25、26の間に配設された単一ローラもしくは複数のローラである。
【００１９】
ライナ形成装置17は、プラスチックフィルムウェブ巻付け手段30を更に含み、前記プラスチックフィルムウェブ巻付け手段30は、フレーム手段18の回りにおいて矢印32により特定される軌道を進行すべく配置された(不図示の)キャリッジ上に好都合に取付けられるものである。前記キャリッジは、プラスチックフィルムウェブ、または、適切なライナ11を作成することに適した他の材料のウェブの複数のロール33を回転可能に取付けた設備を好ましく有する。好適には使用されるフィルムウェブは、(それを生成すべく使用される単一もしくは複数の樹脂の性質による)本来的な接着性、または、製造プロセスの間においてポリイソブテンなどの物質の添加による接着性を有する。前記フィルムウェブの接着性は、該フィルムを加熱することで高められる。代替的に前記キャリッジは、ライナ形成装置17上に前記フィルムを投入する直前に該フィルムに対して接着剤を塗付する接着剤塗付手段を担持することもある。生成されるライナ11において利用される少なくとも一枚のフィルム層は、当該低密度ポリエチレン層の長さを増大して厚みを減少すべくその降伏点を超えて事前延伸された低密度ポリエチレン層であることが好適である。斯かるフィルムは、生成されるライナの靱性および耐久性を増大させる。好適には前記キャリッジは、生成されるライナの各層が相互に接着されるのを確実とするために、先行して付与されたフィルム層に対してフィルムウェブを押圧するための押圧ローラ34も担持し得る。フィルムウェブ層の配置構成は、ライナ11の外側の二層は自己接着性ではないが、内側の各層は自己接着性であるか又は補強メッシュウェブなどの補強層を含むようなものであることが好適である。必要に応じて、前記ライナの一方の表面を生成すべく使用されるフィルムは、該フィルムの他方の表面を生成すべく使用されるフィルムと異なる色であってよい。必要に応じて、ライナ11がライナ形成装置17から出るときに、縦方向に延在して離間された各ラインに沿って該ライナの全ての層を一体的に加熱シールするために加熱シール手段35が配備される。不図示であるが、前記装置の逆側には同様の加熱シール装置が配備される。必要に応じて、生成されるライナの全ての層は、生成される管状構造の回りにおいて円周方向に一体的に加熱シールされる。更に、任意選択的にライナ11を長手ライン37に沿って切断して、該ライナを側縁部が一体的に加熱シールされた単一シートへと形成するために、加熱シール／ライナ切断デバイス36が配備されることがある。
【００２０】
図示実施例においてライナ11は、フィルムウェブ巻付け手段30の前記キャリッジをフレーム手段18の回りで移動させ、また同時に、布置されたフィルムの各層を離脱手段19の運転により下方に移動させることで生成され、そして螺旋状に巻回された複数のフィルム層が、管状ライナ11を形成すべく、または必要に応じて上述された如く管状ライナ11を切断することで単一層ライナを形成すべく生成される。運河12などに完全に設置されたなら、ライナの管状構造を通して、または、二重もしくは単一の厚みとされたライナ上を、水が流される。更に、必要に応じて、水はライナを所定位置に保持するためにも用いられる。
【００２１】
本発明の原理から逸脱せずに状況および要件に応じて、ここで記述された装置の多くの変形例が可能であり且つ使用され得ることは理解されるであろう。たとえば前記装置が、離脱コンベア20、21の間の距離の調節を可能とするように構築され、そのことによって生成される管状ライナ11の幅を望ましく増減することを可能にする。完成されたライナシートを重しで押さえることが望ましい用途においては、完成ウェブ上に区画室を生成すべく溶接が使用可能であり、該区画室内には積層シート間に水もしくは類似物が付加され、その後該区画室は溶接もしくはテープなどの任意の好都合な手段によりシールされる。更なる可能性は、生成されるライナもしくは他の製品内に、フィルムウェブ巻付け手段30により布置されたフィルムウェブと交差するフィルムウェブの層を配置することである。これは、フレームの頂部に一連の水平マンドレルを載置して、ライナが生成されるにつれて該マンドレルから下方向にフィルムを解き放すことで達成される。この形態の構成は、縦方向および横方向の両方における、ライナまたは生成された他の製品の強度を高める。
【００２２】
次に図２を参照すると、本発明を実施する装置の可能的な代替的配置構成が示される。図１に関して開示かつ記述された特徴は図２の配置構成においても採用可能であり、逆も同様であることはもちろん理解されるであろう。図２に示された如く該装置は、離間された側部直立部材51、52と上側クロスバー53とを有するフレーム構造50を含む。フレーム構造50からは鉛直に配設されたエンドレスコンベア54、55が支持され、それらは夫々、使用に際して同一速度で下方に移動する外向きのコンベア走行部56、57を有する。前記装置は、直立部材51、52から支持されて鉛直方向に離間された一対の案内軌条58、59を更に含み、これらの案内軌条は、矢印63、64の方向において該案内軌条58、59に沿って移動される駆動可能キャリッジ手段61および62を搭載する。駆動可能キャリッジ手段61、62はそれらの間に、コンベア走行部56、57の回りに供与されるべきプラスチック材料フィルム65および66のロールを担持する。故に、ロール65、66が案内軌条58、59の回りを移動するとき、同時に下方に移動されるコンベア走行部56、57の回りには該ロールからフィルムウェブが供与される。これによりフィルムウェブは、重複螺旋67で布置されて、相互に接着された重複ウェブ材料の管材を形成する。二つの供与ロールが例示されたが、前記配置構成は、生成されるべき最終製品に応じて必要とされる一つのロールのみ又は三個以上のロールで作動する。
【００２３】
図２において更に示された如く、離間された被動シャフト68および69はプラスチック材料ウェブの更なるロール70、71、72、73、74および75を担持する。各ウェブは、一対のアイドルローラ76の一方の上を通って該ローラから下方へと進行する。図示された配置構成において、ロール65、66から供与されて螺旋状に巻回された層67の内側には、縦方向かつ下方に延在するウェブ78、79、80、81および82が配置される。望ましいと考えられるなら、第一ウェブ78、79、80、81および82上に重なり合う第二ウェブをアイドルローラ91、92の上に布置すべく、プラスチック材料ウェブの更なるロール85、86、87、88、89および90を担持する下側の第二群の被動シャフト83および84が配備される。鉛直方向に離間された二群以上の横方向(または螺旋状布置)フィルム供与ステーションが利用され得ることで、縦方向に延在するフィルムウェブが、螺旋状に巻回される二つ以上の層の間に挟持され得ることはもちろん理解されるであろう。
【００２４】
種々の層を一体的に押圧すべく一対の押圧ローラ93、94が配備され得ると共に、望ましいと考えられるなら、図１に関して記述された以外の様態も包含される。たとえば、生成されつつある管状体の内部には仕切部材が配備可能であり、それに対して押圧ローラ93、94が作用する。斯かる仕切部材は、積層材料の管材が適切な作動手段により縦方向に切断されるべきであれば下方から支持され、そうでなければ上方から支持される。更に、必要に応じて時々、適切な加熱シール機器または接着剤／接着機器も使用され得る。図２に関して前記に開示かつ記述された前記装置は、横方向において相互に離間され、または、横方向において少なくとも部分的にもしくは完全に重なり合うべく縦方向に延在する複数のウェブの積層フィルムを生成すべく利用され、或いは、該装置は縦方向に延在するウェブを全て省略し得ることもまた勿論理解されるであろう。分かり易くするために、フィルムウェブのロールまたは他の所望のウェブ材料のロールを担持する種々のローラおよび駆動シャフトは、本発明の一部を構成しないことから図面および説明から省略されている。
【００２５】
図３は、ロール56、57からのウェブの螺旋と同様に螺旋111状に布置されるが鉛直方向に相互に離間されてメッシュもしくはネット状材料の管材110を形成するウェブ材料のための、鉛直方向に離間された複数のロール95、96、97、98、99および100によりロール56、57が置換されたことを除き、図２と同様の配置構成である。図示された実施例において、鉛直ウェブは螺旋111の外方に又は両側に配置されるが、その逆も可能であり且つ他の可能的な変形例も包含され得ることが理解されるであろう。先の実施例と同様に、先に開示かつ記述された特徴はこの実施例においても利用される。更に、図３ａに示されたフィルムウェブ材料122のロール121から一個以上のアイレット120を通してロール95から100および70から75からのウェブ細長片の少なくとも数本もしくは全てを進行させて、それを細線状材料123に形成することが可能である。図３ａに示された如く、細線状材料123は後時の使用のためにロール124上に保存されるか、または代替的に、前記生成手段は積層材料を生成する装置に含まれる。縦方向に延在するウェブもしくは細線状材料と、螺旋状に巻回されたウェブもしくは細線状材料との間の交差箇所は、接着剤もしくは加熱シール技術を用いて相互に接着され得ることは勿論理解されるであろう。
【００２６】
図４および図５を参照すると、上述された如く生成された積層材料から作成された立坑もしくは貯水箇所用のカバーの種々の好適実施例が示される。前記立坑は、サイロ貯蔵牧草の作成、または、他の任意の保存目的で使用される。貯水箇所130は、水泳プール、または、他の任意の保水用の堰、池などである。もし下側に位置する表面もしくは底部材料が地表などのように有孔性であれば、立坑もしくは貯水箇所の底部は積層材料のシート131で覆われる。図４に示されるような、立坑もしくは貯水箇所に対するカバー132は、加熱シール線135間に形成された一体成形可撓パイプ134を備えるべく、本開示に従い作成された積層材料のシート133により形成される。図４においては、縦方向に延在するパイプ134が示されるが、カバー132の縦方向の端部を含む一本以上の横方向のパイプ134が配備されることもある。ホース136もしくは他の給水接続手段からの水をパイプ134の各々に充填しまたはそれらから水を完全排出するべく、接続ノズル、蛇口、栓などの従来の性質の適切な附属物も配備される。図４に示された如くカバー132は、格納もしくは供与目的でスタンド137に支持され得るが、斯かるスタンド137は必須ではない。図５は代替実施例を示しており、この場合に積層材料133は、スペース138が水により充填されもしくは部分的に充填されるように、加熱シールされた縁部と給水接続部とを備えた管材として形成される。本明細書に記述された積層材料を利用して、この形式のカバーの多くの変形例が使用されることが勿論理解されるであろう。
【図面の簡単な説明】
【００２７】
【図１】図１は、本発明の一好適実施例の概略的斜視図である。
【図２】図２は、本発明の更なる好適実施例の概略的斜視図である。
【図３】図３は、ネットもしくはメッシュ材料を作成する更なる好適実施例を示す、図２と同様の概略図である。
【図３ａ】図３ａは、プラスチック材料製のフィルムウェブからストリング状もしくは細線状の材料を生成する装置の概略図である。
【図４】図４は、サイロ貯蔵牧草用立坑もしくは他の立坑用のカバーまたは貯水箇所用カバーとして使用されるべく本発明に従い作成された積層フィルムの概略図である。
【図５】図５は、図４と同様の概略図であり、可能な代替的カバー実施例における積層フィルムを示す図である。
【図１】
2005522354.tif 000003
【図２】
2005522354.tif 000004
【図３】
2005522354.tif 000005
【図３ａ】
2005522354.tif 000006
【図４】
2005522354.tif 000007
【図５】
2005522354.tif 000008
【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
ウェブ材料から有孔性のまたは無孔性の軟質積層材料を作成する装置であって、
当該フレーム手段に結合された積層材料離脱機構を有するフレーム手段と、
少なくとも一枚の第一軟質プラスチック材料フィルムウェブを第一方向で供与するための供与手段と、
少なくとも一枚の第二軟質プラスチック材料フィルムウェブを前記フレーム手段の積層材料離脱手段の回りに巻き付けるための巻付け手段と、を含んで、
前記第一及び第二フィルムウェブが互いに少なくとも部分的に接着された状態で前記軟質積層材料を形成し、同時に前記離脱機構が前記積層材料をフレーム手段から漸進的に取り外す、軟質積層材料を作成する装置。
【請求項２】
前記ウェブ材料巻付け手段が、前記少なくとも一枚の第一フィルムウェブを前記積層材料離脱機構の回りに巻き付けながら該積層材料離脱機構の回りを移動する、請求項１に記載の装置。
【請求項３】
前記少なくとも一枚の第一プラスチックフィルムを前記積層材料離脱手段の回りに巻き付ける間、前記ウェブ材料巻付け手段が静止位置に留まり且つ前記フレーム手段の少なくとも前記積層材料離脱手段が回転する、請求項１に記載の装置。
【請求項４】
前記離脱機構が、前記軟質積層材料をフレーム手段から水平方向に取り外すように配設される、請求項１から３のいずれか一項に記載の装置。
【請求項５】
前記離脱機構が、前記軟質積層材料をフレーム手段から直立方向に取り外すように配設される、請求項１から３のいずれか一項に記載の装置。
【請求項６】
前記軟質積層材料が、前記フレーム手段から下方向または上方向のいずれかに取り外される、請求項５に記載の装置。
【請求項７】
当該装置が、移動手段と、該移動手段を駆動する駆動手段とを含むことにより、前記積層材料を形成する間に該装置が所望の方向に移動され得る、請求項１から６のいずれか一項に記載の装置。
【請求項８】
前記ウェブ材料供与手段が、前記積層材料離脱機構により前記軟質積層材料に対して与えられる移動方向と平行な方向で、少なくとも一枚の前記第一フィルムウェブを供与する、請求項１から７のいずれか一項に記載の装置。
【請求項９】
前記軟質積層材料が、ウェブ材料間に複数の開口を備えたネットもしくはメッシュ材料として形成される、請求項８に記載の装置。
【請求項１０】
前記ウェブ材料巻付け手段が、少なくとも二枚の前記第二フィルムウェブを供与するための供給手段を含む、請求項１から９のいずれか一項に記載の装置。
【請求項１１】
一枚又は各々の前記第二フィルムウェブを前記巻付け手段により巻き付ける速度が、前記積層材料離脱機構による前記軟質積層材料の取り外しの速度に関連付けられることにより、前記巻付け手段により供給された一枚又は各々の前記第二フィルムウェブが、前記軟質積層材料における重複関係で螺旋状に巻回される、請求項１から１０のいずれか一項に記載の装置。
【請求項１２】
最初に言及されたウェブ材料巻付け手段により巻き付けられた第二フィルムウェブに対して交差的に更にウェブ材料を巻き付けるように配置された第二ウェブ巻付け手段を更に含む、請求項１１に記載の装置。
【請求項１３】
積層材料離脱機構が、同一の方向および速度にて進行する外側コンベア走行部を有する少なくとも２本の離間されたエンドレスコンベアを含み、該エンドレスコンベアの回りに、ウェブ材料巻付け手段が、前記軟質積層材料を形成するために、前記少なくとも一枚の第二プラスチックフィルムを巻き付ける、請求項１または１２に記載の装置。
【請求項１４】
前記ウェブ材料巻付け手段により付与された前記第二プラスチックフィルムウェブの少なくとも外側層を、先行して付与された層に対して押し付ける押圧手段を更に含む、請求項１３に記載の装置。
【請求項１５】
ウェブ材料供与手段が、複数の別個の長寸材の前記第一軟質プラスチックフィルムウェブを供与するように構成され、前記別個の長寸材の少なくとも幾本かが、互いに横方向に離間される、請求項８に記載の装置。
【請求項１６】
ウェブ材料供与手段が、複数の別個の長寸材の前記第一軟質プラスチックフィルムウェブを重複関係で供与するように構成される、請求項８に記載の装置。
【請求項１７】
ウェブ材料巻付け手段が、前記積層材料離脱機構の回りに少なくとも一枚の前記第二プラスチックフィルムウェブを巻き付けて、縦方向において互いに離間された螺旋状回旋であって前記別個の長寸材の第一プラスチックフィルムウェブと横方向に交差する螺旋状回旋を形成する、請求項１５に記載の装置。
【請求項１８】
縦方向に供与された少なくとも一枚の前記第一プラスチックフィルムウェブが、前記少なくとも二枚の別個の長寸材の前記第二プラスチックフィルムウェブの間に配設された状態で、少なくとも二枚の別個の長寸材の前記第二プラスチックフィルムウェブが、重なり合う螺旋状回旋の形で巻き付けられる、請求項１に記載の装置。
【請求項１９】
ウェブ材料供与手段が、少なくとも二枚の別個の長寸材の前記第一プラスチックフィルムウェブを重なり合う関係で供与し、前記第二プラスチックフィルムウェブの前記螺旋状回旋が、前記少なくとも二枚の長寸材の前記重なり合って縦方向に延在する第一プラスチックフィルムウェブの間に配置される、請求項１に記載の装置。
【請求項２０】
ウェブ材料巻付け手段が、前記外側コンベア走行部の回りに前記第二プラスチックフィルムを供給するための第一供給手段と、少なくとも一枚の更なる前記第二プラスチックフィルムを供給するための少なくとも一つの更なる供給手段とを含み、
第一供給手段が、一枚又は少なくとも一枚の前記第二プラスチックフィルムの張力レベルとは異なる張力レベルにて前記最初のプラスチックフィルムを巻き付ける、請求項１３もしくは１４に記載の装置。
【請求項２１】
ウェブ材料供与手段とウェブ材料巻付け手段とが、第一プラスチック材料フィルムウェブと第二プラスチック材料フィルムウェブとを異なる張力レベルで供給する、請求項１から２０のいずれか一項に記載の装置。
【請求項２２】
前記積層材料に沿って少なくとも縦方向に離間された位置において軟質積層材料の全ての層を加熱シールするための加熱シール手段が配備される、請求項１から２１のいずれか一項に記載の装置。
【請求項２３】
加熱シール手段が、縦方向に延在する少なくとも一本のシール線に沿って軟質積層材料の前記全ての層を加熱シールする、請求項２２に記載の装置。
【請求項２４】
前記少なくとも二個の離間されたコンベアの外側コンベア走行部間の距離を横方向で調節する調節手段を更に含む、請求項１３又は１４に記載の装置。
【請求項２５】
前記加熱シール手段が、横方向に離間された複数本の前記縦方向延在シール線を形成するようにされた、請求項２３に記載の装置。
【請求項２６】
前記積層材料を加熱シール領域に沿って縦方向に切断するための切断手段を更に含む、請求項２３または２５に記載の装置であって、該切断手段によってその様に切断された積層材料の各縦方向縁部領域が加熱シールされる、装置。
【請求項２７】
前記材料を縦方向に切断する切断手段を更に含む、請求項１から２５のいずれか一項に記載の装置。
【請求項２８】
少なくとも一枚の前記第二軟質プラスチック材料フィルムウェブを前記フレーム手段に巻き付けるに先立ち、該フィルムウェブに対して接着剤を塗付するための接着剤塗付手段を更に含む、請求項１から２７のいずれか一項に記載の装置。
【請求項２９】
前記第二プラスチック材料フィルムウェブを前記接着剤上に巻き付ける前に、前記積層材料離脱手段上に付与された前記ウェブ材料に接着剤を塗布するための接着剤塗付手段を更に含む、請求項１から２８のいずれか一項に記載の装置。
【請求項３０】
ウェブ材料から軟質積層材料を作成する方法であって、
少なくとも一枚の第一軟質プラスチック材料フィルムウェブを第一方向で供与する段階と、
少なくとも一枚の第二軟質プラスチック材料フィルムウェブを複数回の螺旋状回旋の形でフレーム手段の回りに巻き付ける段階と、を含んで、
前記第一及び第二フィルムウェブが互いに少なくとも部分的に接着された状態で第一フィルムウェブの少なくとも一部分に第二フィルムウェブを重ね置くことによって前記軟質積層材料を形成し、また同時に前記フレーム手段上の積層材料を前記フレーム手段から放出領域の方へ移動させる、軟質積層材料を作成する方法。
【請求項３１】
前記第一方向が、積層材料の前記放出領域の方への移動の方向と同一である、請求項３０に記載の方法。
【請求項３２】
前記フレーム手段が少なくとも二個のコンベアを含み、
前記ウェブ材料が、前記コンベア上に巻き付けられて、前記コンベアにより前記フレーム手段から搬送される、請求項３０又は３１に記載の方法。
【請求項３３】
少なくとも二枚の前記第二プラスチックフィルムウェブが、前記フレーム手段の回りに同時に巻き付けられる、請求項３０から３２のいずれか一項に記載の方法。
【請求項３４】
前記少なくとも二枚の前記第二プラスチックフィルムウェブが、自己接着性であることにより、先行して巻き付けられた層に接着される、請求項３３に記載の方法。
【請求項３５】
軟質補強用ウェブ材料が、軟質積層材料を作成すべく使用される前記ウェブ材料の少なくとも一枚を構成する、請求項３０から３４のいずれか一項に記載の方法。
【請求項３６】
補強用ウェブ材料がメッシュ構成のものである、請求項３５に記載の方法。
【請求項３７】
一枚又は各々の前記第一及び第二フィルムウェブが、低密度ポリエチレンの長さを増大して厚みを減少すべくその降伏点を超えて事前延伸された低密度ポリエチレンである、請求項３０から３６のいずれか一項に記載の方法。
【請求項３８】
接着剤が、前記フレーム手段上に巻き付けられた前記ウェブ材料の層間に塗布される、請求項３０から３７のいずれか一項に記載の方法。
【請求項３９】
前記軟質積層材料の層が、少なくとも縦方向に離間された箇所において、少なくとも一本の縦方向延在シール線に沿って一体的に加熱シールされる、請求項３０から３７のいずれか一項に記載の方法。
【請求項４０】
複数の前記シール線が前記軟質積層材料の回りで周縁に沿って離間されて形成される、請求項３９に記載の方法。
【請求項４１】
少なくとも一本の縦方向延在切断線に沿って軟質積層材料を切断するために切断手段が配備されて、該切断手段によって単一層の前記軟質積層材料を形成する、請求項３０から４０のいずれか一項に記載の方法。
【請求項４２】
軟質積層材料の各切断縁部領域の層が、一体的に加熱シールされる、請求項４１に記載の方法。
【請求項４３】
少なくとも一枚のプラスチックフィルムウェブの螺旋状巻回層であって各層が相互に接着された螺旋状巻回層により形成された管状ライナ材料を作成する段階と、
前記ライナ材料を運河に沿って布置する段階とを含む、
運河などにライナ付けする方法。
【請求項４４】
前記管状ライナ材料が前記運河内に二重の厚みとして設置される、請求項４３に記載の方法。
【請求項４５】
前記運河における水流が管状ライナ材料内を流れるように配置され、そのことにより前記ライナ材料の一部が前記水流の上側に位置する、請求項４４に記載の方法。
【請求項４６】
前記管状ライナ材料が縦方向延在線に沿って切断され、そのことにより前記ライナ材料が前記運河内に単一の厚みとして設置される、請求項４３に記載の方法。
【請求項４７】
前記管状ライナ材料が現場で形成されて前記運河内に直接的に布置される、請求項４３から４６のいずれか一項に記載の方法。
【請求項４８】
少なくとも一枚のプラスチックフィルムウェブの螺旋状巻回層であって各層が相互に接着された螺旋状巻回層により形成された管状ライナ材料を作成する段階と、
前記ライナ材料を保水手段内に布置する段階とを含む、
地表に形成された保水手段にライナ付けする方法。
【請求項４９】
前記管状ライナ材料が、前記保水手段内に布置されるに先立って、単一シートを形成すべく切断される、請求項４８に記載の方法。
【請求項５０】
複数枚のウェブから形成されたネットもしくはメッシュ材料であって、
前記複数枚のウェブが、縦方向に配設され且つ横方向に離間されており、また少なくとも一枚の螺旋状巻回ウェブにより相互接続された複数枚のウェブであり、また前記少なくとも一枚の螺旋状巻回ウェブが、縦方向に配設された前記ウェブを横切る方向に配設され、且つ縦方向に離間された回旋へと形成された少なくとも一枚の螺旋状巻回ウェブであるところの、ネットもしくはメッシュ材料。
【請求項５１】
管状形態の前記ネットもしくはメッシュ材料が、該ネットもしくはメッシュ材料の少なくとも一枚の平坦シートを形成するために縦方向に切断される、請求項５０に記載のネットもしくはメッシュ材料。
【請求項５２】
少なくとも一枚のプラスチックフィルムウェブの相互に接着された層の重複層の形で螺旋状に巻回されたライナ材料により形成される、堰、池もしくは運河用のライナ。
【請求項５３】
管状形態の前記ライナが縦方向に切断されて少なくとも一枚の平坦シートを形成する、請求項５２に記載の堰、池もしくは運河用のライナ。
【請求項５４】
前記螺旋状に巻回された重複層と交差する縦方向に延在する一枚以上のウェブを更に含む、請求項５２または５３に記載の堰、池もしくは運河用のライナ。
【請求項５５】
縦方向に延在する複数の前記ウェブが相互に離間されて配備される、請求項５４に記載の堰、池もしくは運河用のライナ。
【請求項５６】
縦方向に延在する複数の前記ウェブが配備されて相互に重なり合う、請求項５４に記載の堰、池もしくは運河用のライナ。
【請求項５７】
互いに接着された層の重複層の形で巻回された少なくとも一枚のプラスチック材料ウェブから形成された積層フィルム材料であって、この様に形成された管状構造が縦方向に切断されて少なくとも一枚の平坦シートを形成する、積層フィルム材料。
【請求項５８】
少なくとも一枚の縦方向延在プラスチック材料ウェブを更に含む、請求項５５に記載の積層フィルム材料であって、
一つの又は各々の前記螺旋状巻回層が、一枚の又は各々の前記縦方向延在プラスチック材料ウェブを横切る方向に配設されるように、前記少なくとも一枚の縦方向延在プラスチック材料ウェブが位置決めされた、積層フィルム材料。
【請求項５９】
第一方向に延在する少なくとも一枚の第一軟質プラスチック材料フィルムウェブと、
前記少なくとも一枚の第一軟質プラスチック材料フィルムウェブと横方向に交差する複数回の回旋で螺旋状に巻回された少なくとも一枚の第二軟質プラスチック材料フィルムウェブと、により形成された軟質積層材料であって、
前記第一及び第二フィルムウェブの各々が、当該軟質積層材料を形成するために、互いに少なくとも部分的に接着される、軟質積層材料。
【請求項６０】
複数枚の前記第一フィルムウェブが配備される、請求項５９に記載の軟質積層材料。
【請求項６１】
複数枚の前記第二フィルムウェブが配備される、請求項５９又は６０に記載の軟質積層材料。
【請求項６２】
一枚の又は各々の前記第一フィルムウェブが、軟質積層材料の縦方向に延びる、請求項５９又は６０に記載の軟質積層材料。
【請求項６３】
前記第一フィルムウェブが、複数回の回旋で螺旋状に巻回される、請求項５９に記載の軟質積層材料。
【請求項６４】
管状形態の前記積層フィルムが縦方向に切断されて少なくとも一枚の平坦シートを形成する、請求項５９から６１のいずれか一項に記載の軟質積層材料。
【請求項６５】
管状構造を形成するために、互いに接着された層の重複螺旋層の形で巻回された少なくとも一枚のプラスチック材料ウェブから形成された積層フィルム材料であって、この様に形成された管状構造が縦方向に切断されて少なくとも一枚の平坦シートを形成する、積層フィルム材料。
【請求項６６】
錘として働く流動可能物質を受容するようにされた少なくとも一つの内部ポケットを更に含む、請求項６５に記載の積層フィルム材料。
【請求項６７】
互いに接着された層の重複螺旋層の形で巻回された少なくとも一枚のプラスチック材料ウェブから形成された積層フィルム材料から形成されたカバー装置であって、
当該カバー装置が、錘として働く流動可能物質を受容するようにされた少なくとも一つの内部ポケットを更に含む、カバー装置。
【手続補正２】
【補正対象書類名】明細書
【補正対象項目名】全文
【補正方法】変更
【補正の内容】
【発明の詳細な説明】
【技術分野】
【０００１】
本発明は、池、堰、運河、用水路などの様に地表に形成された保水機構もしくは配水システムに対するライナなどの種々の用途のために、プラスチックフィルムウェブから成りもしくはそれを含む材料から撓曲可能なシート材または管体を作成する装置および方法に関する。本発明はまた、ネットもしくはメッシュ材料、ならびに、建築業界で使用される埋立用ライナ、埋立用蓋、大きなシート材、または、防水布もしくは干し草用カバー、サイロ貯蔵牧草用カバーもしくは穀物用カバーなどのカバー、撓曲可能な配管もしくは管体、および、水分含有製品に対する貯蔵用管材の製造などの他の多くの用途も有する。これらの用途は本質的に例示的なものであり、他の用途が等しく存在し得る。用途に応じて、前記シート材は水分不浸透性とされてもされなくても良い。
【背景技術】
【０００２】
以下の説明は主として地表に形成された保水もしくは配水システムに対するライナとしての企図用途に関して与えられるが、本発明に対する他の多くの可能的用途が存在することに留意すべきである。その様に地表に形成された保水もしくは配水システムからは、底部領域を通る浸出により、または、特に高温気候における水面からの蒸発により、相当量の水が喪失されることは一般によく知られている。この問題に対するこれまでの解決策は、コンクリート、もしくは、場合によりゴムなどの撓曲可能材料から形成された耐水底部ライナを配備し、または、運河および用水路の場合には、任意の利用可能な形態のパイプを用いて水流を地下に流すことであった。また、大きなプラスチックパネルを現場で溶接もしくは接着することでライナとして使用すべく、比較的に大きなプラスチック材料シートを作成することも公知である。斯かる現場での溶接もしくは接着は、実施することが不便で面倒であるなどの一定の不都合を有する。斯かる配置構成の全ては、比較的に不経済であることが分かり、限られた範囲でのみ実施されてきた。実際、その様に地表に形成された保水機構／配水システムからの一定量の水分喪失は不可避なので容認されるべきことが少なからず受け入れられてきた。しかしこの考えは、特に水のコストが増大し且つ地中への水分浸出により引き起こされる環境被害が次第に認識されてきたことから、次第に受け入れられなくなりつつある。
【発明の開示】
【発明が解決しようとする課題】
【０００３】
故に本発明の目的は、溶接もしくは接着による別体部分の接合を最小限としまたは斯かる接合なしで種々の用途に対するフィルムウェブ、シート材、管体もしくはネット状材料をプラスチック材料で作成すべく改良されて比較的に安価な方法を提供するに在る。好適には但し排他的ではなく、該方法は、埋立現場、保水用途および配水用途に対するライナの生成を目的とし得る。本発明はまた、本発明の前記方法を実施する装置、ならびに、本発明の前記方法および装置により生成される材料に対する種々の製品用途を提供することも目的とする。
【課題を解決するための手段】
【０００４】
本発明の第一の様態に依れば、ウェブ材料から有孔性のまたは無孔性の軟質積層材料を作成する装置であって、当該フレーム手段に結合された積層材料離脱機構を有するフレーム手段と、少なくとも一枚の第一軟質プラスチック材料フィルムウェブを第一方向で供与するウェブ材料供与手段と、前記フレーム手段の積層材料離脱機構の回りに少なくとも一枚の第二軟質プラスチック材料フィルムウェブを巻きつけるための巻付け手段とを含んで、前記第一及び第二フィルムウェブが互いに少なくとも部分的に接着された状態で前記軟質積層材料を形成し、同時に前記離脱機構が前記フレーム手段から前記積層材料を漸進的に取り外す、軟質積層材料を作成する装置が提供される。前記の“ウェブ材料”という語句は、長寸シート、及び好適にはプラスチックフィルム材料を包含する。このように記述された前記装置によれば、簡素で安価な方法により、連続的形態であれネットもしくはメッシュ状形態であれ、互いに接着された多層の軟質管材もしくはシート材が理論的に任意の所望の長さで生成され得る。更に、生成される前記材料の幅もまた、理論的には任意の所望の幅へと増大され得る。必要に応じて、生成された管状材料が単一厚シートとして使用されることができるように、生成された管状材料は縦方向に切断されることがある。それはまた二重の厚みとしても使用可能であり、または代替的に、それは管状形態で使用され得る。ライナとして使用される場合に、水は、前記管状構造を通してまたは代替的に前記ライナ上を流れることが許容される。更に、もし現場で管体もしくはシート材が生成されるなら、ライナをその最終所望位置に保持するために水が使用されることがある。
【０００５】
本発明のこの様態の好適な特徴は添付の請求項２から２９までに規定されるが、これにより、その主題は本明細書の開示の一部とされる。
【０００６】
本発明の更なる様態に依れば、ウェブ材料から軟質積層材料を作成する方法が提供され、該方法は、少なくとも一枚の第一軟質プラスチック材料フィルムウェブを第一方向に供与する段階と、少なくとも一枚の第二軟質プラスチック材料フィルムウェブをフレーム手段の回りに複数回の螺旋状回旋で巻き付ける段階とを含んで、前記第一及び第二フィルムウェブが互いに少なくとも部分的に接着された状態で第一フィルムウェブの少なくとも一部に第二フィルムウェブを重ね置くことにより前記軟質積層材料を形成し、同時に前記フレーム手段上の当該積層材料をフレーム手段から放出領域に向けて移動させる、軟質積層材料を作成する方法である。
【０００７】
本発明のこの様態の好適な特徴は添付の請求項３１から４２までに規定されるが、これにより、その主題は本明細書の開示の一部とされる。
【０００８】
本発明の更なる様態に依れば、少なくとも一枚のプラスチックフィルムウェブの螺旋状巻回層であって各層が相互に接着された螺旋状巻回層により形成された管状ライナ材料を作成する段階と、前記ライナ材料を運河に沿って布置する段階とを含む、運河などにライナ付けする方法が提供される。前記および以下において運河という語句は、用水路の様に、水を搬送することが意図されて地表に形成された水路、溝、又はそうでなければ有孔性の水路、溝などを包含することが意図される。
【０００９】
本発明のこの様態の好適な特徴は添付の請求項４２から４７までに規定されるが、これにより、その主題は本明細書の開示の一部とされる。
【００１０】
本発明の更なる様態に依れば、少なくとも一枚のプラスチックフィルムウェブの螺旋状巻回層であって各層が相互に接着された螺旋状巻回層により形成された管状ライナ材料を作成する段階と、前記ライナ材料を前記保水手段内に布置する段階とを含む、地表に形成された保水手段にライナ付けする方法が提供される。好適には、管状ライニング材料は前記保水手段内に布置されるに先立ち単一シートを形成すべく切断される。
【００１１】
本発明の別の様態において、縦方向に配設され且つ横方向に離間された複数枚のウェブであって、該縦方向に配設されたウェブを横切る方向に配設された縦方向に離間された回旋として形成された少なくとも一枚の螺旋状巻回ウェブにより相互接続された複数枚のウェブからは、ネットもしくはメッシュ材料が形成される。好適には、当該ネットもしくはメッシュ材料の少なくとも一枚の平坦シートを形成するために、管状形態の当該ネットもしくはメッシュ材料が縦方向に切断される。
【００１２】
更に別の様態においては、少なくとも一枚のプラスチックフィルムウェブの相互に接着された層の重複層の形で螺旋状に巻き付けられたライナ材料により形成される、堰、池もしくは運河用のライナが提供される。好適には、この様態の更なる好適な特徴は添付の請求項５３から５５までに規定されるが、これにより、該請求項は本明細書の開示の一部とされる。
【００１３】
更なる様態では、本発明は、管状構造を形成するために、互いに接着された層の重複螺旋層の形で巻回されている少なくとも一枚のプラスチック材料ウェブから形成された積層フィルム材料を提供し、そのように形成された管状構造は縦方向に切断されて少なくとも一枚の平坦なシートを形成する。
【００１４】
本発明の更なる様態によれば、第一方向に延在する少なくとも一枚の第一軟質プラスチック材料フィルムウェブと、前記少なくとも一枚の第一軟質プラスチック材料フィルムウェブと横方向に交差する、複数回の回旋で螺旋状に巻回された少なくとも一枚の第二軟質プラスチック材料フィルムウェブと、により形成された軟質積層材料が提供され、前記第一及び第二フィルムウェブの各々は、互いに少なくとも部分的に接着されて前記軟質積層材料を形成する。この様態の好適な特徴は、添付の請求項６０から６４までに規定されるが、これにより、前記請求項の主題が、この引用により本明細書の開示の一部とされる。
【００１５】
本発明の更なる様態は、管状構造を形成するために、互いに接着された層の重複螺旋層で巻回された少なくとも一枚のプラスチック材料ウェブから形成された積層フィルム材料を提供し、この様に形成された管状構造は縦方向に切断されることで少なくとも一枚の平坦シートを形成する。前述の積層材料が、錘として働く流動可能物質を受容するようにされた少なくとも一つの内部槽を更に含むことが好都合である。斯かる積層材料は、建築現場用途、貯水箇所もしくはサイロ貯蔵牧草用の立坑に対するカバーとしての機能を含め多くの用途を有し得る。カバーとして機能させる場合に前記材料は、錘として作用するたとえば水などの流動可能物質を受容し得る少なくとも一つの内部ポケットを含む。代替的な好適配置構成において、前記積層材料の最初に形成される管状構造は横方向に切断されると共に、横方向の開放端部は、内部閉塞キャビティを画成するために横方向にシールされる。閉鎖キャップを備えた吐水口などの様な、(たとえば水などの)流動可能物質を導入もしくは排出する手段が、錘として働く流動可能物質で少なくとも部分的に充填される。前記カバー装置に対する加重領域として作用し得る種々のスペース形態を提供すべく、内部キャビティに対して任意の所望の分割が為される。斯かるカバー装置に対する可能的な用途は、水泳プール用カバー、および、サイロ貯蔵牧草用の立坑などに対するカバーを含む。
【００１６】
本発明の更なる好適な様態は、添付図面に関して与えられる以下の説明から明らかとなろう。
【発明を実施するための最良の形態】
【００１７】
添付図面の図１は、ライナ11を現場で生成して運河12などへと載置する装置10を概略的に示している。本発明の原理の他の多くの応用が等しく可能であることを理解すべきである。たとえば前記装置は、現場で使用されなくてもよく、しかし工場側で使用されて、ライナとしてまたは本明細書に記述される他の応用例としてのその後の使用のために積層材料を生成して保存することが可能である。
【００１８】
図１を参照すると、例示された装置10はライナ11が載置される運河12を跨ぐ様に配置される。装置10は、運河12の両側に配置された移動手段14により支持された支持フレーム構造13を含む。移動手段14は、図示された如き無限軌道キャタピラシステム、車輪、または、他の任意の適切な手段である。移動手段14は、装置10が矢印15の方向において運河12に沿って移動するように駆動される。支持フレーム構造13の上側アーム16から、下端部に障害物の無いライナ形成装置17が吊り下げられるので、その下端部からは、ライナ11が管状形態で又は単一シートを形成すべく縦方向に切断されて放出されることが可能である。ライナ形成装置17は、当該フレーム手段18の各外側から下方に延在するライナ離脱手段19を備えたフレーム手段18を含む。図示実施例において離脱手段は、矢印24の方向で下方に運動する外側走行部22、23を有する一対のエンドレスコンベア20、21を含む。ひとつの実用的実施例においてコンベア20、21は、コンベアの表面を形成すべく横方向に配設された複数のプレートを各々が担持するエンドレスチェーンにより形成され得る。他の構成も可能であることは当然に理解されるであろう。コンベア20、21の各々は、クロスバー31から取付けられた(不図示の)中央駆動モータであって、コンベア20、21まで延在することでコンベア20、21が同一速度で駆動される様に協働する(これらもまた不図示の)チェーンドライブを備えたモータから好都合に駆動され得る。
【００１９】
フレーム手段18は、離間されて下方に吊り下げられた一対の支持バー25、26であって両者間に延在する横断壁構造27を備えた支持バー25、26を含む。壁構造27は、平坦な外向き表面、または、図示された如く凸状湾曲表面28、29のいずれかを呈する。図示された如き連続的な壁構造27は必須でなく、たとえばそれは、以下に記述される如くライナを生成すべく布置されているフィルムウェブに対する支持を提供するためのローラ手段に置換され得ることが理解されるに違いない。ローラ手段は、コンベア20、21に対する支持バー25、26の間に配設された単一ローラもしくは複数のローラである。
【００２０】
ライナ形成装置17は、プラスチックフィルムウェブ巻付け手段30を更に含み、前記プラスチックフィルムウェブ巻付け手段30は、フレーム手段18の回りにおいて矢印32により特定される軌道を進行すべく配置された(不図示の)キャリッジ上に好都合に取付けられるものである。前記キャリッジは、プラスチックフィルムウェブ、または、適切なライナ11を作成することに適した他の材料のウェブの複数のロール33を回転可能に取付けた設備を好ましく有する。好適には使用されるフィルムウェブは、(それを生成すべく使用される単一もしくは複数の樹脂の性質による)本来的な接着性、または、製造プロセスの間においてポリイソブテンなどの物質の添加による接着性を有する。前記フィルムウェブの接着性は、該フィルムを加熱することで高められる。代替的に前記キャリッジは、ライナ形成装置17上に前記フィルムを投入する直前に該フィルムに対して接着剤を塗付する接着剤塗付手段を担持することもある。生成されるライナ11において利用される少なくとも一枚のフィルム層は、当該低密度ポリエチレン層の長さを増大して厚みを減少すべくその降伏点を超えて事前延伸された低密度ポリエチレン層であることが好適である。斯かるフィルムは、生成されるライナの靱性および耐久性を増大させる。好適には前記キャリッジは、生成されるライナの各層が相互に接着されるのを確実とするために、先行して付与されたフィルム層に対してフィルムウェブを押圧するための押圧ローラ34も担持し得る。フィルムウェブ層の配置構成は、ライナ11の外側の二層は自己接着性ではないが、内側の各層は自己接着性であるか又は補強メッシュウェブなどの補強層を含むようなものであることが好適である。必要に応じて、前記ライナの一方の表面を生成すべく使用されるフィルムは、該フィルムの他方の表面を生成すべく使用されるフィルムと異なる色であってよい。必要に応じて、ライナ11がライナ形成装置17から出るときに、縦方向に延在して離間された各ラインに沿って該ライナの全ての層を一体的に加熱シールするために加熱シール手段35が配備される。不図示であるが、前記装置の逆側には同様の加熱シール装置が配備される。必要に応じて、生成されるライナの全ての層は、生成される管状構造の回りにおいて円周方向に一体的に加熱シールされる。更に、任意選択的にライナ11を長手ライン37に沿って切断して、該ライナを側縁部が一体的に加熱シールされた単一シートへと形成するために、加熱シール／ライナ切断デバイス36が配備されることがある。
【００２１】
図示実施例においてライナ11は、フィルムウェブ巻付け手段30の前記キャリッジをフレーム手段18の回りで移動させ、また同時に、布置されたフィルムの各層を離脱手段19の運転により下方に移動させることで生成され、そして螺旋状に巻回された複数のフィルム層が、管状ライナ11を形成すべく、または必要に応じて上述された如く管状ライナ11を切断することで単一層ライナを形成すべく生成される。運河12などに完全に設置されたなら、ライナの管状構造を通して、または、二重もしくは単一の厚みとされたライナ上を、水が流される。更に、必要に応じて、水はライナを所定位置に保持するためにも用いられる。
【００２２】
本発明の原理から逸脱せずに状況および要件に応じて、ここで記述された装置の多くの変形例が可能であり且つ使用され得ることは理解されるであろう。たとえば前記装置が、離脱コンベア20、21の間の距離の調節を可能とするように構築され、そのことによって生成される管状ライナ11の幅を望ましく増減することを可能にする。完成されたライナシートを重しで押さえることが望ましい用途においては、完成ウェブ上に区画室を生成すべく溶接が使用可能であり、該区画室内には積層シート間に水もしくは類似物が付加され、その後該区画室は溶接もしくはテープなどの任意の好都合な手段によりシールされる。更なる可能性は、生成されるライナもしくは他の製品内に、フィルムウェブ巻付け手段30により布置されたフィルムウェブと交差するフィルムウェブの層を配置することである。これは、フレームの頂部に一連の水平マンドレルを載置して、ライナが生成されるにつれて該マンドレルから下方向にフィルムを解き放すことで達成される。この形態の構成は、縦方向および横方向の両方における、ライナまたは生成された他の製品の強度を高める。
【００２３】
次に図２を参照すると、本発明を実施する装置の可能的な代替的配置構成が示される。図１に関して開示かつ記述された特徴は図２の配置構成においても採用可能であり、逆も同様であることはもちろん理解されるであろう。図２に示された如く該装置は、離間された側部直立部材51、52と上側クロスバー53とを有するフレーム構造50を含む。フレーム構造50からは鉛直に配設されたエンドレスコンベア54、55が支持され、それらは夫々、使用に際して同一速度で下方に移動する外向きのコンベア走行部56、57を有する。前記装置は、直立部材51、52から支持されて鉛直方向に離間された一対の案内軌条58、59を更に含み、これらの案内軌条は、矢印63、64の方向において該案内軌条58、59に沿って移動される駆動可能キャリッジ手段61および62を搭載する。駆動可能キャリッジ手段61、62はそれらの間に、コンベア走行部56、57の回りに供与されるべきプラスチック材料フィルム65および66のロールを担持する。故に、ロール65、66が案内軌条58、59の回りを移動するとき、同時に下方に移動されるコンベア走行部56、57の回りには該ロールからフィルムウェブが供与される。これによりフィルムウェブは、重複螺旋67で布置されて、相互に接着された重複ウェブ材料の管材を形成する。二つの供与ロールが例示されたが、前記配置構成は、生成されるべき最終製品に応じて必要とされる一つのロールのみ又は三個以上のロールで作動する。
【００２４】
図２において更に示された如く、離間された被動シャフト68および69はプラスチック材料ウェブの更なるロール70、71、72、73、74および75を担持する。各ウェブは、一対のアイドルローラ76の一方の上を通って該ローラから下方へと進行する。図示された配置構成において、ロール65、66から供与されて螺旋状に巻回された層67の内側には、縦方向かつ下方に延在するウェブ78、79、80、81および82が配置される。望ましいと考えられるなら、第一ウェブ78、79、80、81および82上に重なり合う第二ウェブをアイドルローラ91、92の上に布置すべく、プラスチック材料ウェブの更なるロール85、86、87、88、89および90を担持する下側の第二群の被動シャフト83および84が配備される。鉛直方向に離間された二群以上の横方向(または螺旋状布置)フィルム供与ステーションが利用され得ることで、縦方向に延在するフィルムウェブが、螺旋状に巻回される二つ以上の層の間に挟持され得ることはもちろん理解されるであろう。
【００２５】
種々の層を一体的に押圧すべく一対の押圧ローラ93、94が配備され得ると共に、望ましいと考えられるなら、図１に関して記述された以外の様態も包含される。たとえば、生成されつつある管状体の内部には仕切部材が配備可能であり、それに対して押圧ローラ93、94が作用する。斯かる仕切部材は、積層材料の管材が適切な作動手段により縦方向に切断されるべきであれば下方から支持され、そうでなければ上方から支持される。更に、必要に応じて時々、適切な加熱シール機器または接着剤／接着機器も使用され得る。図２に関して前記に開示かつ記述された前記装置は、横方向において相互に離間され、または、横方向において少なくとも部分的にもしくは完全に重なり合うべく縦方向に延在する複数のウェブの積層フィルムを生成すべく利用され、或いは、該装置は縦方向に延在するウェブを全て省略し得ることもまた勿論理解されるであろう。分かり易くするために、フィルムウェブのロールまたは他の所望のウェブ材料のロールを担持する種々のローラおよび駆動シャフトは、本発明の一部を構成しないことから図面および説明から省略されている。
【００２６】
図３は、ロール56、57からのウェブの螺旋と同様に螺旋111状に布置されるが鉛直方向に相互に離間されてメッシュもしくはネット状材料の管材110を形成するウェブ材料のための、鉛直方向に離間された複数のロール95、96、97、98、99および100によりロール56、57が置換されたことを除き、図２と同様の配置構成である。図示された実施例において、鉛直ウェブは螺旋111の外方に又は両側に配置されるが、その逆も可能であり且つ他の可能的な変形例も包含され得ることが理解されるであろう。先の実施例と同様に、先に開示かつ記述された特徴はこの実施例においても利用される。更に、図３ａに示されたフィルムウェブ材料122のロール121から一個以上のアイレット120を通してロール95から100および70から75からのウェブ細長片の少なくとも数本もしくは全てを進行させて、それを細線状材料123に形成することが可能である。図３ａに示された如く、細線状材料123は後時の使用のためにロール124上に保存されるか、または代替的に、前記生成手段は積層材料を生成する装置に含まれる。縦方向に延在するウェブもしくは細線状材料と、螺旋状に巻回されたウェブもしくは細線状材料との間の交差箇所は、接着剤もしくは加熱シール技術を用いて相互に接着され得ることは勿論理解されるであろう。
【００２７】
図４および図５を参照すると、上述された如く生成された積層材料から作成された立坑もしくは貯水箇所用のカバーの種々の好適実施例が示される。前記立坑は、サイロ貯蔵牧草の作成、または、他の任意の保存目的で使用される。貯水箇所130は、水泳プール、または、他の任意の保水用の堰、池などである。もし下側に位置する表面もしくは底部材料が地表などのように有孔性であれば、立坑もしくは貯水箇所の底部は積層材料のシート131で覆われる。図４に示されるような、立坑もしくは貯水箇所に対するカバー132は、加熱シール線135間に形成された一体成形可撓パイプ134を備えるべく、本開示に従い作成された積層材料のシート133により形成される。図４においては、縦方向に延在するパイプ134が示されるが、カバー132の縦方向の端部を含む一本以上の横方向のパイプ134が配備されることもある。ホース136もしくは他の給水接続手段からの水をパイプ134の各々に充填しまたはそれらから水を完全排出するべく、接続ノズル、蛇口、栓などの従来の性質の適切な附属物も配備される。図４に示された如くカバー132は、格納もしくは供与目的でスタンド137に支持され得るが、斯かるスタンド137は必須ではない。図５は代替実施例を示しており、この場合に積層材料133は、スペース138が水により充填されもしくは部分的に充填されるように、加熱シールされた縁部と給水接続部とを備えた管材として形成される。本明細書に記述された積層材料を利用して、この形式のカバーの多くの変形例が使用されることが勿論理解されるであろう。
【図面の簡単な説明】
【００２８】
【図１】図１は、本発明の一好適実施例の概略的斜視図である。
【図２】図２は、本発明の更なる好適実施例の概略的斜視図である。
【図３】図３は、ネットもしくはメッシュ材料を作成する更なる好適実施例を示す、図２と同様の概略図である。
【図３ａ】図３ａは、プラスチック材料製のフィルムウェブからストリング状もしくは細線状の材料を生成する装置の概略図である。
【図４】図４は、サイロ貯蔵牧草用立坑もしくは他の立坑用のカバーまたは貯水箇所用カバーとして使用されるべく本発明に従い作成された積層フィルムの概略図である。
【図５】図５は、図４と同様の概略図であり、可能な代替的カバー実施例における積層フィルムを示す図である。
【国際調査報告】
2005522354.tif 000009
2005522354.tif 000010
2005522354.tif 000011